(57)【要約】【課題】画質劣化が予測される領域の裏写りを抑制することにより、画質の劣化を防止する。【解決手段】画質劣化領域検出部１０５は、文字／絵柄判定結果、表面の色／濃度領域判定結果、裏面の色／濃度領域判定結果を用いて注目画素の裏写り抑制率を算出する。色／濃度補正部１０６は、検出部１０５により検出された裏写り抑制対象領域の画素について、裏写り抑制率に紙種毎の補正率を加算して補正する。【選択図】図１
2014060496.tif 000002
【特許請求の範囲】
【請求項１】
所定画像を両面印刷する画像処理装置において、前記画像を印刷する際に、裏写りによる画質劣化が予測される領域を検出する検出手段と、前記検出された領域に対して色、濃度を補正することにより裏写りを抑制する補正手段を備えたことを特徴とする画像処理装置。
【請求項２】
前記検出手段は、前記画像の各画素が文字部または絵柄部であるか否かを判定する第１の判定手段と、前記画像の表面と裏面における各画素の色、濃度を判定する第２の判定手段と、前記第１、第２の判定手段の判定結果に基づいて前記領域の裏写り抑制率を算出する算出手段を備えたことを特徴とする請求項１記載の画像処理装置。
【請求項３】
前記領域は、前記裏面がグレイまたは色地で、前記表面の文字または黒い絵柄が前記裏面に写ることが予測される領域であることを特徴とする請求項１または２記載の画像処理装置。
【請求項４】
前記補正手段は、前記両面印刷する転写紙の種類に応じた補正率により前記裏写り抑制率を補正することを特徴とする請求項１または２記載の画像処理装置。
【請求項５】
所定画像を両面印刷する画像処理方法において、前記画像を印刷する際に、裏写りによる画質劣化が予測される領域を検出する検出工程と、前記検出された領域に対して色、濃度を補正することにより裏写りを抑制する補正工程を備えたことを特徴とする画像処理方法。
【請求項６】
請求項５記載の画像処理方法をコンピュータに実現させるためのプログラム。
【請求項７】
請求項５記載の画像処理方法をコンピュータに実現させるためのプログラムを記録したコンピュータ読み取り可能な記録媒体。
【発明の詳細な説明】
【技術分野】
【０００１】
本発明は、裏写りを防止した画像処理装置、画像処理方法、プログラムおよび記録媒体に関する。
【背景技術】
【０００２】
両面印刷時に、記録用紙の裏面への裏写りを防止する技術がある。例えば、特許文献１では、表面と裏面の画像間の相互関係を基に裏写りによる画質劣化が発生するか否かを予測し、発生する場合は裏写りを防止している。
【発明の概要】
【発明が解決しようとする課題】
【０００３】
しかし、上記した技術では、裏写りによる画質劣化が予想される場合、画像全面に均一に濃度を抑制するため、画像が劣化しない領域にまで再現性が低下してしまうという問題があった。
【０００４】
本発明は上記した課題に鑑みてなされたもので、
本発明の目的は、画質劣化が予測される領域の裏写りを抑制することにより、画質の劣化を防止した画像処理装置、画像処理方法、プログラムおよび記録媒体を提供することにある。
【課題を解決するための手段】
【０００５】
本発明は、所定画像を両面印刷する画像処理装置において、前記画像を印刷する際に、裏写りによる画質劣化が予測される領域を検出する検出手段と、前記検出された領域に対して色、濃度を補正することにより裏写りを抑制する補正手段を備えたことを最も主要な特徴とする。
【発明の効果】
【０００６】
本発明によれば、画質劣化が予測される領域の裏写りを抑制し、画質劣化を防止することができる。
【図面の簡単な説明】
【０００７】
【図１】本発明の実施例の構成を示す。
【図２】画質劣化領域検出部の構成を示す。
【図３】裏写り抑制率の算出結果を示す。
【図４】紙種毎の補正率を示す。
【発明を実施するための形態】
【０００８】
以下、発明の実施の形態について図面により詳細に説明する。
【実施例１】
【０００９】
図１は、本発明の実施例の構成を示す。図１において、１０１はスキャンユニット、１０２はスキャン画像処理ユニット、１０３コントロールユニット、１０４は印刷画像処理ユニット、１０５は画質劣化領域検出部、１０６は色／濃度補正部、１０７は中間調処理部、１０８は印刷ユニットである。
【００１０】
スキャンユニット１０１でスキャンされた画像は、スキャン画像処理ユニット１０２により所定の画像処理が施され、コントロールユニット１０３に蓄積／管理される。コントロールユニット１０３に蓄積されている画像を印刷する際に、コントロールユニット１０３から画像が読み出され、印刷画像処理ユニット１０４に入力される。印刷画像処理ユニット１０４は、画質劣化領域検出部１０５、色／濃度補正部１０６、中間調処理部１０７を備え、後述するように、裏写り抑制処理を実施して印刷ユニット１０８に出力する。
【００１１】
図２は、裏写りによる画質劣化が予測される領域を検出する画質劣化領域検出部１０５の構成を示す。画質劣化領域検出部１０５は、文字／絵柄判定部２０１、色／濃度領域判定部２０２、２０３、裏写り抑制率算出部２０４を備えている。
【００１２】
まず、文字／絵柄判定部２０１は、コントロールユニット１０３から取得した画像の処理対象画素が文字部か絵柄部かを判定する。判定方法は公知の技術を用いる。次に、色／濃度領域判定部２０２は、表面の画像に対して色／濃度領域を判定する。
【００１３】
注目画素を中心に、９ｘ９画素程度の領域のＣＭＹＫ各色の画素値を合計し、領域判定を行う。
ｉｆ  Ｋの画素値の合計がｋ＿ｔｈ以上のとき、Ｋ領域と判定する。
ｅｌｓｅ  ｉｆ  Ｋの画素値の合計がｇｒｅｙ＿ｔｈ以上のとき、ＧＲＥＹ領域と判定する。
ｅｌｓｅ  ｉｆ  Ｃの画素値の合計がｃ＿ｔｈ以上のとき、Ｃ領域と判定する。
ｅｌｓｅ  ｉｆ  Ｍの画素値の合計がｍ＿ｔｈ以上のとき、Ｍ領域と判定する。
ｅｌｓｅ  ｉｆ  Ｙの画素値の合計がｙ＿ｔｈ以上のとき、Ｙ領域と判定する。
ｅｌｓｅ  ｉｆ  Ｋの画素値の合計がｗ＿ｔｈ未満
且つＣの画素値の合計がｗ＿ｔｈ未満
且つＭの画素値の合計がｗ＿ｔｈ未満
且つＹの画素値の合計がｗ＿ｔｈ未満のとき、ＷＨＩＴＥ領域と判定する。
ｅｌｓｅ  ＬＩＧＨＴ領域と判定する。
ここで、ｋ＿ｔｈ、ｇｒｅｙ＿ｔｈ、ｃ＿ｔｈ、ｍ＿ｔｈ、ｙ＿ｔｈ、ｗ＿ｔｈは、調整可能なパラメータである。
【００１４】
さらに、色／濃度領域判定部２０２は領域を拡張する。注目画素を中心に、９ｘ９画素程度の領域内の上記領域検出結果を参照し、最終的な色／濃度領域判定結果とする。
ｉｆ  領域内にＫ領域の画素があるとき、注目画素をＫ領域とする。
ｅｌｓｅ  ｉｆ  領域内にＧＲＥＹ領域の画素があるとき、注目画素をＧＲＥＹ領域とする。
ｅｌｓｅ  ｉｆ  領域内にＣ領域の画素があるとき、注目画素をＣ領域とする。
ｅｌｓｅ  ｉｆ  領域内にＭ領域の画素があるとき、注目画素をＭ領域とする。
ｅｌｓｅ  ｉｆ  領域内にＹ領域の画素があるとき、注目画素をＹ領域とする。
ｅｌｓｅ  ｉｆ  領域内にＬＩＧＨＴ領域の画素があるとき、注目画素をＬＩＧＨＴ領域とする。
ｅｌｓｅ  注目画素をＷＨＩＴＥ領域とする。
【００１５】
裏面の画像についても同様に、色／濃度領域判定部２０３は、色／濃度領域判定、領域拡張を行い、色／濃度領域を判定する。
【００１６】
裏写り抑制率算出部２０４は、文字／絵柄判定結果、表面の色／濃度領域判定結果、裏面の色／濃度領域判定結果を用いて注目画素の裏写り抑制率を算出する。
【００１７】
図３は、裏写り抑制率の算出結果を示す。（ａ）は文字部の裏写り抑制率の算出結果、（ｂ）は絵柄部の裏写り抑制率の算出結果であり、ＫはＫ領域、ＧＲはＧＲＥＹ領域、ＣはＣ領域、ＭはＭ領域、ＹはＹ領域、ＬはＬＩＧＨＴ領域、ＷはＷＨＩＴＥ領域である。
【００１８】
図３において、裏写り抑制率が１．０未満の領域（０．６、０．８）が裏写り抑制対象領域であり、裏写り抑制率が１．０の領域が裏写りを抑制しない領域となる。各裏写り抑制率は、調整可能とし、ユーザーの指定や動作モードに合わせて変更できるようにしておく。このように、絵柄の一部の濃度を変えることによる違和感を回避することができ、また、より高精度に裏写り抑制率を調整することができる。
【００１９】
ここでは、以下の領域を裏写り抑制の対象領域としている。すなわち、裏がグレイまたは色地の部分で、表の文字が裏に写ることが予測される領域、裏がグレイまたは色地の部分で、表の黒い絵柄が裏に写ることが予測される領域である。
【００２０】
色／濃度補正部１０６は、画質劣化領域検出部１０５により検出された裏写り抑制対象領域の画素について、裏写り抑制率を用いて補正を行う。
【００２１】
転写紙の種類により裏写りの透過率が変わるので、図４に示すように、紙種（紙の厚さ）ごとに補正率を保持しておき、裏写り抑制率に補正率を加算して補正する。このようにして求められた最終裏写り抑制率を、ＣＭＹＫの入力画素値（ｉｎ）に掛け合わせて出力画素値（ｏｕｔ）とする。
Ｋｏｕｔ＝Ｋｉｎ＊最終裏写り抑制率
Ｃｏｕｔ＝Ｃｉｎ＊最終裏写り抑制率
Ｍｏｕｔ＝Ｍｉｎ＊最終裏写り抑制率
Ｙｏｕｔ＝Ｙｉｎ＊最終裏写り抑制率
このように、裏写りしにくい転写紙を用いる場合、裏写り抑制のための濃度抑制を最低限に抑えることができる。
【００２２】
本発明は、前述した実施例の機能を実現するソフトウエアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても達成される。この場合、記憶媒体から読出されたプログラムコード自体が前述した実施例の機能を実現することになる。プログラムコードを供給するための記憶媒体としては、例えば、ハードディスク、光ディスク、光磁気ディスク、不揮発性のメモリカード、ＲＯＭなどを用いることができる。また、コンピュータが読出したプログラムコードを実行することにより、前述した実施例の機能が実現されるだけでなく、そのプログラムコードの指示に基づき、コンピュータ上で稼働しているＯＳ（オペレーティングシステム）などが実際の処理の一部または全部を行い、その処理によって前述した実施例の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施例の機能が実現される場合も含まれる。また、本発明の実施例の機能等を実現するためのプログラムは、ネットワークを介した通信によってサーバから提供されるものでも良い。
【符号の説明】
【００２３】
１０１  スキャンユニット
１０２  スキャン画像処理ユニット
１０３  コントロールユニット
１０４  印刷画像処理ユニット
１０５  画質劣化領域検出部
１０６  色／濃度補正部
１０７  中間調処理部
１０８  印刷ユニット
【先行技術文献】
【特許文献】
【００２４】
【特許文献１】特開２０００−５９６３０号公報
【図１】
2014060496.tif 000003
【図２】
2014060496.tif 000004
【図３】
2014060496.tif 000005
【図４】
2014060496.tif 000006